(57)【特許請求の範囲】
【請求項１】
空気質成分を含有した空気砲を車内（２）に供給する車両用空気質成分供給装置であって、
前記空気砲が前記車内（２）に向けて放出される放出口（２２）と、
前記放出口（２２）に連通する空気質チャンバ（２１）と、
前記空気質チャンバ（２１）内で所定の前記空気質成分を揮発させる揮発手段（２５、３１、４１、５１）を有するとともに、揮発された前記空気質成分を含む前記空気質チャンバ（２１）内の気体を圧縮して前記放出口（２２）から空気砲を放出する圧縮手段（２５、５１）を有するアクチュエータ（２５、３１、４１、５１）と、
前記アクチュエータ（２５、３１、４１、５１）の動作を制御する制御手段（１００）と、を備え、
前記アクチュエータは前記揮発手段および前記圧縮手段として作動する作動部（２５、５１）を有し、
前記制御手段は、前記作動部（２５、５１）を音波振動または超音波振動させて前記空気質成分を揮発させた後、待機時間が経過後、前記放出口から空気砲を放出するために前記揮発された前記空気質成分を含んだ気体を圧縮するように前記作動部（２５、５１）の制御を開始することを特徴とする車両用空気質成分供給装置。
【請求項２】
前記アクチュエータ（２５、３１、４１、５１）は、前記圧縮手段（２５）として前記空気質チャンバ（２１）内の気体を圧縮するように変位する作動部（２５）を有し、前記作動部（２５）の前記空気質チャンバ（２１）寄り側面に、前記空気質成分を揮発させる揮発手段（３１、４１、５１）を設けることを特徴とする請求項１に記載の車両用空気質成分供給装置。
【請求項３】
前記アクチュエータ（２５、３１）は前記揮発手段（３１）として前記空気質成分が浸透可能な浸透部材（３１）を備えることを特徴とする請求項１または請求項２に記載の車両用空気質成分供給装置。
【請求項４】
前記アクチュエータ（２５、３１、４１、５１）は前記圧縮手段（２５）として前記空気質チャンバ（２１）内の気体を圧縮するように変位する作動部（２５）を有し、前記作動部（２５）に前記空気質成分を揮発させるための発熱部（４１）を設けることを特徴とする請求項１または請求項２に記載の車両用空気質成分供給装置。
【発明の詳細な説明】
【技術分野】
【０００１】
本発明は、所定の空気質成分を含有させた空気砲を車内に放出して当該空気質成分を拡散させる車両用空気質成分供給装置に関する。
【背景技術】
【０００２】
従来、この種の車両用空気質成分供給装置としては、水を霧化して室内に搬送し飛散させることにより湿度を調整する加湿装置が知られている（例えば、特許文献１参照）。この特許文献１に記載の装置は、加湿成分の元である水を貯蔵する水タンクと、水タンクから配水管を通じて引き込んだ水を霧化する水蒸気生成手段と、水蒸気生成手段で生成した水蒸気を取り込み、これを含んだ空気を渦輪の形で吹き出す加圧室と、を備え、これらの構成部品を装置本体の中で順番に配置し、一体化して構成したものである。
【特許文献１】特開２０００−１７６３３９号公報（図１参照）
【発明の開示】
【発明が解決しようとする課題】
【０００３】
しかしながら、上記従来の車両用空気質成分供給装置においては、空気質成分である水が貯蔵されている水タンク、水を気化する水蒸気生成手段、および水蒸気を含んだ空気を渦輪の形で吹き出す加圧室が、それぞれ個別に装置本体内に配置されているので、装置全体が大型化してしまうという問題があった。
【０００４】
そこで、本発明は、上記問題点に鑑みてなされたものであり、装置全体の大きさを小型化した車両用空気質成分供給装置を提供することを目的とする。
【課題を解決するための手段】
【０００５】
上記目的を達成するために、以下に記載の技術的手段を採用する。すなわち、請求項１に記載の発明は、空気質成分を含有した空気砲を車内（２）に供給する車両用空気質成分供給装置であって、空気砲が前記車内（２）に向けて放出される放出口（２２）と、放出口（２２）に連通する空気質チャンバ（２１）と、空気質チャンバ（２１）内で所定の空気質成分を揮発させる揮発手段（２５、３１、４１、５１）を有するとともに、揮発された空気質成分を含む空気質チャンバ（２１）内の気体を圧縮して放出口（２２）から空気砲を放出する圧縮手段（２５、５１）を有するアクチュエータ（２５、３１、４１、５１）と、アクチュエータ（２５、３１、４１、５１）の動作を制御する制御手段（１００）と、を備え、アクチュエータは揮発手段および圧縮手段として作動する作動部（２５、５１）を有し、制御手段は、作動部（２５、５１）を音波振動または超音波振動させて空気質成分を揮発させた後、待機時間が経過後、放出口から空気砲を放出するために揮発された空気質成分を含んだ気体を圧縮するように作動部（２５、５１）の制御を開始することを特徴とする。
【０００６】
この発明によれば、アクチュエータが、空気質チャンバ内で所定の空気質成分を揮発させる機能と、揮発された空気質成分を含んだ気体を圧縮して空気砲を放出する機能とを有することになり、空気質成分を揮発するための手段を別途設ける必要が無く、構成部品点数を低減した小型の装置を提供することができる。さらに、作動部の動作を揮発動作と空気圧縮動作に分けて制御することにより、揮発手段および空気圧縮手段の両方の機能を有することになり、比較的簡単な部品構成のアクチュエータを提供することができる。さらに、揮発動作の後、待機時間を設けて空気圧縮動作に移行することにより、空気質チャンバ内に十分に空気質成分が行き渡るような待機時間を設定することができ、空気質チャンバ内の成分濃度を均一化して乗員に対して品質の安定した空気砲を提供することができる。
【００１１】
請求項２に記載の発明は、請求項１において、アクチュエータ（２５、３１、４１、５１）は圧縮手段（２５）として空気質チャンバ（２１）内の気体を圧縮するように変位する作動部（２５）を有し、作動部（２５）の空気質チャンバ（２１）寄り側面に、空気質成分を揮発させる揮発手段（３１、４１、５１）を設けることが好ましい。
【００１２】
この発明によれば、作動部の空気質チャンバよりの側面に揮発手段を設けることにより、より早く空気質チャンバ内に空気質成分を拡散させることができる。
【００１３】
請求項３に記載の発明は、請求項１または請求項２において、アクチュエータ（２５、３１）は揮発手段（３１）として空気質成分が浸透可能な浸透部材（３１）を備えることが好ましい。この発明によれば、浸透部材に浸透された空気質成分が自然揮発することにより空気質チャンバ内に空気質成分を充満させることができる。
【００１４】
請求項４に記載の発明は、請求項１または請求項２において、アクチュエータ（２５、３１、４１、５１）は圧縮手段（２５）として空気質チャンバ（２１）内の気体を圧縮するように変位する作動部（２５）を有し、作動部（２５）に空気質成分を揮発させるための発熱部（４１）を設けることが好ましい。
【００１５】
この発明によれば、揮発手段として発熱を用いることにより、空気質チャンバ内の気体の温度を調整して空気質成分の拡散を促進することができる。また、空気質チャンバ内の温度を高めることにより充満気体の湿度を高めることができ、湿度成分を主とした空気砲の放出に対して有用である。
【００１６】
なお、上記各手段の括弧内の符号は、後述する実施形態の具体的手段との対応関係を示す一例である。
【発明を実施するための最良の形態】
【００１７】
（第１実施形態）
以下に、本発明の第１実施形態を図１〜図４を用いて説明する。図１は、本実施形態における車両用空気質成分供給装置１０、１１、１２を車内に配置する箇所を示した概念図である。図２は、本実施形態における車両用空気質成分供給装置２０を制御する構成を示したブロック図である。
【００１８】
本実施形態における空気砲は、空気質チャンバ２１に貯められた流体が圧縮されることにより、空気質チャンバ２１に形成された放出口２２から押し出されて流体の塊となって放出されるものを意図している。空気砲の形態としては、例えば、渦輪状、球体状などの形状の塊となって放出されるもの全般をいう。また、この空気砲は、所定の空気質成分が含有された状態でその空気質成分を感知させたい車内の乗員、または空間に向けて放出される。そして、車内の乗員、または空間にいる乗員の感知可能な範囲内で空気砲を拡散させることにより、所定の空気質成分を乗員に提供するものである。
【００１９】
このように、車内の乗員に対して所定の空気質成分を保持させた空気砲を放出して供給することにより、車内特有のエアコン装置による空調気流の影響を受けにくい空気質成分の搬送が行われる。さらに、乗員特有の環境である、例えば、渋滞、信号待ちなどの交通状況、高速走行、市街地走行などの運転状況、これらの状況に起因する乗員の感情や心理などに応じた空気質成分の搬送が、実施されることになる。
【００２０】
図１に示す車両用空気質成分供給装置１０、１１、１２は、自家用または業務用の車両に広く用いられ、所定の空気質成分を空気砲に含有させ、乗員に対してこの空気砲を供給するものである。そして、車両用空気質成分供給装置１０、１１、１２の内部構成は図３（ａ）〜（ｃ）に示す車両用空気質成分供給装置２０と同様である。図１に示すように、車両用空気質成分供給装置１０、１１、１２は、自動車１の車内２に存在する乗員３および４に対して空気砲を的確に放出できる位置に設けられている。
【００２１】
車両用空気質成分供給装置１０の装置本体は、空気砲を車内２に向けて放出可能なようにインストルメントパネル１３内に設けられている。なお、車両用空気質成分供給装置１０は、インストルメントパネル１３内に通常配置されているエアコン装置（図示せず）に近接して設けてもよいし、エアコン装置と一体化するように構成してもよい。
【００２２】
車両用空気質成分供給装置１０の放出口から放出された空気砲は、インストルメントパネル１３に形成されたグリル吹出口を経由して前席５に座っている乗員３の顔付近に向けて放出される。そして、この空気砲が乗員３の顔や肩などに当たると、空気砲の塊が崩れるとともに含有されていた空気質成分が拡散領域７を形成するように拡散されて乗員３の鼻や口から吸入され体内に取り込まれる。
【００２３】
車両用空気質成分供給装置１１の装置本体は、車内２の前席側天井部分に形成されるオーバーヘッドモジュール９内に設けられている。この車両用空気質成分供給装置１１の放出口から放出された空気砲は、オーバーヘッドモジュール９に形成された吹出口を経由して前席５に座っている乗員３の顔付近に向けて放出される。そして、この空気砲が乗員３の顔や頭などに当たると、空気砲の塊が崩れるとともに含有されていた空気質成分が拡散領域７を形成するように拡散されて乗員３の鼻や口から吸入され体内に取り込まれる。
【００２４】
車両用空気質成分供給装置１２の装置本体は、車内２の後席側天井部に設けられている。この車両用空気質成分供給装置１２の放出口から放出された空気砲は、後席６に座っている乗員４の顔付近に向けて放出される。そして、この空気砲が乗員４の顔や頭などに当たると、空気砲の塊が崩れるとともに含有されていた空気質成分が拡散領域８を形成するように拡散されて乗員４の鼻や口から吸入され体内に取り込まれる。
【００２５】
本実施形態においては、供給する空気質成分として、乗員に対して快適性を感じさせる因子である、例えば、水分を揮発させた湿度成分、香料を揮発させた芳香成分、酸素成分、アロマ成分、コラーゲン成分、抗アレルゲン成分、イオン成分、冷気成分、暖気成分などを採用することができる。このような空気質成分のうちの少なくとも一つは、装置本体の成分保有部２３にあらかじめ保有されているものとする。
【００２６】
空気質成分として湿度成分を使用した場合は、乗員は、鼻腔内の粘膜の乾燥や、のどの粘膜の乾燥が改善されることになる。また、空気質成分として芳香成分、アロマ成分、またはイオン成分を使用した場合は、乗員は、鼻から当該成分を吸い込むことでリラックスした気分になることが予測できる。
【００２７】
また、空気質成分として芳香成分、酸素成分、冷気成分を使用した場合は、乗員は、鼻からこれらの成分を吸い込むことで眠気が解消されたり、覚醒効果を得られたりすることができる。また、乗員は、寒いときや暑いときに空気質成分としての冷気成分や暖気成分を吸い込むと、局所的に暖房効果や冷房効果を得る。また、他の空気質成分として、化粧水などを揮発化して空気砲に含有させて放出する構成とした場合は、湿度成分と同様に肌の保湿を促し、乗員の健康、美容に効果を発揮することになる。
【００２８】
なお、車両用空気質成分供給装置１０、１１、１２の装置本体を構成する筐体は、扁平状に形成されることにより、インストルメントパネル１３内、オーバーヘッドモジュール９内、および車内２の天井部内などの狭い空間に配することが可能である。
【００２９】
このように車内２に配置された車両用空気質成分供給装置は、図２に示すような構成により制御されている。車両用空気質成分供給装置１０、１１、１２および２０は、制御手段としての空気質成分供給ＥＣＵ１００により各種信号に基づいて制御されている。空気質成分供給ＥＣＵ１００は、車両統合ＥＣＵ１０２や操作手段１０１からの信号に対して種々の解析を行い、空気砲を放出するタイミング、空気砲の放出速度などの放出条件を決定し、空気質成分を揮発する動作の制御を行うものである。
【００３０】
この空気質成分供給ＥＣＵ１００は、車両用空気質成分供給装置２０に対してこの決定に基づいた制御を行う。この制御は、所定の空気質成分を揮発する揮発手段と揮発された後の気体を圧縮する圧縮手段を備えるアクチュエータの制御である。例えば、空気質成分供給ＥＣＵ１００は、揮発手段および圧縮手段として作動するアクチュエータの作動部２５を制御することにより、空気質成分を揮発する動作のタイミングおよび実行時間や、空気質チャンバ２１に貯えられた空気質成分を含有した気体を圧縮して放出口２２から押し出すタイミングを制御ですることができる。
【００３１】
また、空気質成分供給ＥＣＵ１００は、車両用空気質成分供給装置２０のアクチュエータに対して、空気質チャンバ２１内の空気を圧縮する圧縮力の大きさ、圧縮力の起動を制御する。例えば、圧縮力の大きさを制御することで空気砲をどの乗員に向けて放出するか、どこまで空気砲を届かせるかを制御し、圧縮力の起動を制御することで空気砲を連続的に放出するか、所定時間の間隔をあけて間欠的に放出するか、などを制御することができる。
【００３２】
また、空気質成分供給ＥＣＵ１００は、図１に示すように車内２に車両用空気質成分供給装置が複数個配置されている場合には、どの車両用空気質成分供給装置を起動するか、または複数の車両用空気質成分供給装置を同時に起動させるかを制御することになる。
【００３３】
車両統合ＥＣＵ１０２は、車両の各機能部品の作動情報を入手して空気質成分供給ＥＣＵ１００に通信する機能を有している。各機能部品の作動情報としては、例えば、車速情報、ブレーキ情報、車間センサ情報、ウィンドウの開閉情報などである。車両統合ＥＣＵ１０２は、これらの情報を空気質成分供給ＥＣＵ１００に送信する。
【００３４】
空気質成分供給ＥＣＵ１００は、車速が所定値以下のときや、単位時間当たりのブレーキング回数が所定値以上のときや、車間センサによる先行車両との間隔が所定値以下のときなどの情報を認識したときは、渋滞しているとみなして、前述のように、覚醒効果を供給するために空気質成分として成分保有部２３にあらかじめ充填しておいた芳香成分、酸素成分、または冷気成分を含有させた空気砲を運転者に向かって放出する制御を行ったり、リラックス効果を与えるために空気質成分としてあらかじめ成分保有部２３に充填しておいた芳香成分、アロマ成分、イオン成分を含有させた空気砲を運転者に向かって放出する制御を行ったりする。
【００３５】
また、車両統合ＥＣＵ１０２により車速情報として、例えば８０ｋｍ以上の値が所定時間以上継続して得られた場合には、空気質成分供給ＥＣＵ１００は、高速道路などを走行しているとみなして、居眠り運転の未然防止のため、空気質成分としてあらかじめ成分保有部２３に充填しておいた覚醒効果のある芳香成分、酸素成分、または冷気成分を所定分量、空気質チャンバ２１に送り込み、揮発させた後、空気砲に含有させて運転者に向かって放出する制御を行う。
【００３６】
また、車両統合ＥＣＵ１０２がウィンドウ開閉情報としてウィンドウが開放された状態であることを空気質成分供給ＥＣＵ１００に送信すると、空気質成分供給ＥＣＵ１００は、車内に外風が吹き込んでいると認識して、所定時間またはウィンドウが閉状態であるという情報を入手するまで、空気砲の放出を停止するインターロック制御を行う。ウィンドウが開状態であるときは、車内２に外風が舞っているため、空気砲を放出しても所定の乗員または空間に向けて拡散させることが難しいので、積極的にその放出を制限するものである。
【００３７】
この操作手段１０１は、乗員自らが所定の空気質成分を得たいと思ったときに、強制的に車両用空気質成分供給装置を起動させるためのものであり、例えば、インストルメントパネル１３の乗員が操作しやすい場所にスイッチ、またはボタンの形態で構成されている。操作手段１０１は、車両空気質成分供給装置２０の起動、空気質チャンバ２１内の空気を圧縮する圧縮力の大きさの制御、車内２のどの空間、またはどの乗員に向けて空気砲を放出するかの制御を命令することができる手段を有する構成である。
【００３８】
次に、車両用空気質供給装置２０の内部構成について図３（ａ）、（ｂ）、および（ｃ）を用いて説明する。図３（ａ）は、車両用空気質成分供給装置２０の内部構成を示した概念図であり、図３（ｂ）は空気質成分を揮発させるときの内部状態を示した概念図であり、図３（ｃ）は空気砲を放出する動作を行っているときの内部状態を示した概念図である。
【００３９】
図３（ａ）に示すように、車両用空気質成分供給装置２０は、装置本体を構成する筐体内の一方側の端面に空気砲の放出口２２を有し、放出口２２と連通し筐体内の一方側に設けられた空気質チャンバ２１と、他方側に設けられたアクチュエータと、空気質チャンバ２１内に空気質成分を供給するために空気質成分を内蔵した成分保有部２３と、を備えた構成である。
【００４０】
成分保有部２３は、所定の空気質成分があらかじめ貯蔵されている空間であり、空気質チャンバ２１内に空気質成分を放出するためのノズル２４を備えている。成分保有部２３は、空気質チャンバ２１内に配置されていることが好ましい。空気質成分は、通常は成分保有部２３内に閉じ込められており、空気質成分供給ＥＣＵ１００からの放出命令があると空気質チャンバ２１内の作動部２５に向けて放出される。
【００４１】
空気質チャンバ２１は、放出口２２から取り込まれた車内２の空気が充満されている空間であり、その容積は作動部２５の前後方向の位置変動によって可変され、作動部２５が瞬間的に放出口２２に向かって変位すると、容積内の気体が圧縮され放出口２２から車内２に向けて空気砲が放出されることになる。
【００４２】
アクチュエータは、装置内部を横断する板状部材で形成され、空気質チャンバ２１内の気体を圧縮したり振動させたりすることができる作動部２５と、この作動部２５と連結される支持部材２８と、支持部材２８の周囲を取り巻くように設けられるコイル２６と、支持部材２８およびコイル２６の内側に設けられる磁石５１と、支持部材２８の半径方向の動きを抑制する緩衝部材２９とから構成されている。
【００４３】
磁石２７とコイル２６は装置本体の樹脂部材などによって絶縁されている。作動部２５は、例えば、硬質の材料からなる薄板で構成するのが望ましい。これらの材料で形成することにより、音波振動または超音波振動で作動部２５を振動させたり、作動部２５を瞬間的に変位させたりすることができ、また、作動部２５の作動音を低減することもできる。
【００４４】
緩衝部材２９は、支持部材２８の外周部と装置本体の内面との間に存在して支持部材２８の外方への動きを抑制するとともに、前後方向の動きにも追随するように構成されている。緩衝部材２９は、弾性の有する素材または形状を有し、例えば、ゴムや、蛇腹形状の部材で構成されている。また、装置内部は、作動部２５によって前後に２分割され、前部に空気質チャンバ２１が構成され、後部にアクチュエータの構成部品が構成されている。
【００４５】
このようなアクチュエータの構成においては、電磁力によって作動部２５を前後に変位されるので、反復される往復運動に対して強い耐久性に優れ、細かな変位や短時間の変動を可能とした制御を実施できる。このようにアクチュエータは、例えば、ムービングコイル方式で作動される。
【００４６】
アクチュエータの作動について説明する。車載バッテリなどからアクチュエータに電圧が印加されると、電流がコイル２６に流れて作動部２５を前後方向のいずれかに押し出す電磁力が働く。
【００４７】
空気質成分を空気質チャンバ２１内で揮発させるステップについて説明する。空気質成分供給ＥＣＵ１００は、揮発動作ステップを実行するときには、まず、成分保有部２３内に貯蔵されている空気質成分をノズル２４を介して作動２５に向かって放出させる制御を行う。次に、空気質成分供給ＥＣＵ１００は、印加する電圧を適切に制御することにより、作動部２５を前後方向に音波振動または超音波振動などの高周波振動をさせる。作動部２５のこのような振動によって、空気質チャンバ２１内の気体は高周波振動することになるので、このチャンバ内に充満していた所定の空気質成分は振動によって揮発されて、チャンバ内に拡散し充満することになる（以上、図３（ｂ）参照）。
【００４８】
次に、空気砲発生ステップについて説明する。さらに、空気質成分供給ＥＣＵ１００は、印加する電圧を適切に制御することにより、作動部２５を瞬間的に前後方向に変位させる。作動部２５のこのような変位により、空気質チャンバ２１の容積は瞬間的に小さくなるので、この容積内に充満していた空気質成分を含んだ気体は圧縮されて押し出され放出口２２から外部に向けて瞬時に放出されることになる（以上、図３（ｃ）参照）。
【００４９】
空気質成分供給ＥＣＵ１００は、作動部２５をこのような一連の制御で動作させることにより揮発手段および圧縮手段として機能させる。作動部２５によって放出口２２から放出される空気は、所定の空気質成分を含んだ、流体の塊、例えば、渦輪、球体状の塊、となって車内２に放出されることになる。
【００５０】
次に、空気砲を放出した後には、図３（ａ）に示すように作動部２５は、元の位置に戻り、これとともに放出した空気砲と同じ容積分の空気が車内２から取り込まれる。
【００５１】
車両用空気質成分供給装置２０は、以上のような図３（ａ）〜図３（ｃ）のそれぞれで示した動作を繰り返し行うことにより、乗員に対する空気砲の供給を継続的に実施することができる。
【００５２】
なお、アクチュエータに印加する電圧は、ＯＮ／ＯＦＦ制御により電圧を印加する。放物線状の波形電圧でなく、矩形波状の電圧を印加することにより、コイル２６に瞬間的に電流を流すことになり、電磁力を短時間で発生させ、作動部２５の変位を瞬間的に起こすことができる。印加電圧を数秒程度の間隔を空けて複数回印加した場合には、乗員に対して連続的に複数個の空気砲が放出されるので、途中で何らかの障害物が存在するような場合でもどれか一つの空気砲が乗員に当たることにより、所定の空気質成分を乗員に感知させる確率を向上することができる。
【００５３】
印加する電圧は、例えば、車載バッテリから供給することにより１２Ｖ電圧としてもよい。また、アクチュエータに印加する電圧の強化するために、コンデンサを用いた昇圧回路を利用してもよい。例えば、印加電圧を昇圧回路により１２Ｖから１６Ｖに昇圧することで、空気砲の搬送距離を大きくすることができ、空気砲を供給したい乗員の選択の幅が広がる車両用空気質供給装置が提供できる。
【００５４】
さらに、一連の揮発動作ステップおよび空気砲発生ステップにおける作動部２５の変位について図４を用いて説明する。図４は揮発動作ステップおよび空気砲発生動作ステップにおけるアクチュエータの変位を示すグラフである。
【００５５】
空気質成分供給ＥＣＵ１００が揮発動作ステップを開始すると、作動部２５は前後方向に音波振動または超音波振動などの高周波振動を行う。このときの作動部２５の変位は、高周波振動であるため、図４に示すように微小の変位量である。プラスの変位量は、作動部２５が放出口２２方向に変位することを示し、マイナスの変位量は、作動部２５が空気質チャンバ２１の容積を大きくする方向に変位することを示している。そして高周波振動は所定時間繰り返される。この所定時間は、空気質成分の必要量を揮発させ、十分に空気質チャンバ２１内に充満させることができる時間である。
【００５６】
揮発動作ステップが終了すると、空気質成分供給ＥＣＵ１００は空気砲発生動作ステップを開始する。空気質成分供給ＥＣＵ１００は、コイル２６に矩形波状の電圧を印加することにより瞬間的に作動部２５を放出口２２方向に変位させ、作動部２５の変位は矩形波を描いた後、図３（ａ）に示す元の位置に戻る。このときの変位量は、最大変位量であり、空気質チャンバ２１の急激な容積減少が起こり、押し出されたよう積分の気体が空気砲となって放出口２２から車内２に放出される。
【００５７】
次に、空気砲放出の命令があるまで、空気質成分供給ＥＣＵ１００はアクチュエータに電圧を印加せず、作動部２５は元の状態を維持する。空気砲放出の命令があると、空気質成分供給ＥＣＵ１００は再び揮発動作ステップを開始し、作動部２５が高周波振動による変位状態に入る。
【００５８】
このように本実施形態の車両用空気質成分供給装置は、空気砲が車内２に向けて放出される放出口２２と、放出口２２に連通する空気質チャンバ２１と、揮発手段として空気質チャンバ２１内で所定の空気質成分を揮発させるとともに、圧縮手段として揮発された空気質成分を含んだ気体を圧縮するように変位して空気砲を放出する作動部２５と、作動部２５の動作を制御する制御手段としての空気質成分供給ＥＣＵ１００と、を備えている。
【００５９】
この構成によれば、アクチュエータが、空気質チャンバ２１内で所定の空気質成分を揮発させる機能と、揮発された空気質成分を含んだ気体を圧縮して空気砲を放出する機能とを併せ持つことになり、空気質成分を揮発するための手段を別途設ける必要が無く、構成部品点数を低減して装置を小型化することができる。また、揮発手段と空気圧縮手段が、空気質チャンバ２１側で一体化されることにより、装置全体の小型化が図れる。
【００６０】
また、空気質成分供給ＥＣＵ１００は、作動部２５を音波振動または超音波振動させることにより空気質成分を揮発させた後、揮発された空気質成分を含んだ気体を圧縮するように作動部２５を制御することが好ましい。
【００６１】
この制御を採用した場合には、作動部２５の動作を揮発動作ステップと空気圧縮ステップに分けて制御することにより、比較的簡単な部品構成によって、揮発手段および空気圧縮手段の両方の機能を実現することができる。
【００６２】
また、成分保有部２３は空気質チャンバ２１内に配置されていることが好ましい。この構成を採用した場合には、装置本体全体を小さく構成することができ、設置スペースが制限される車両用として有用である。
【００６３】
また、作動部２５を変位させる動作は、空気質成分供給ＥＣＵ１００の制御によって電磁力を用いて実行されている。この制御を採用した場合には、揮発動作ステップと空気圧縮ステップを連続的に行うことができるとともに、瞬間的に発生する電磁力を作動部２５の変位制御に活用できるので、空気質成分の揮発化および空気砲の発生を促進することができる。
【００６４】
（第２実施形態）
第２実施形態の車両用空気質供給装置３０の内部構成について図５を用いて説明する。なお、車両用空気質成分供給装置３０の車内２における配置箇所は、第１実施形態において図１を用いた説明と同様である。また、車両用空気質成分供給装置３０の制御構成についても、第１実施形態において図２を用いた説明と同様である。
【００６５】
図５に示すように、車両用空気質成分供給装置３０は、第１実施形態の車両用空気質供給装置２０に対して、空気質成分が浸透可能な浸透部材３１を備えた点のみが異なっている。この浸透部材３１は、揮発手段および圧縮手段として機能するアクチュエータに備えられるものであり、空気質チャンバ２１側の作動部２５の側面に設けることが好ましい。浸透部材３１は、揮発手段としての働きを有し、ノズル２４から放出された空気質成分が浸透可能な素材で構成されており、浸透後は自然に揮発して空気質チャンバ２１内に充満するものである。浸透部材３１は、例えば、不織布や、吸湿性の高い素材（綿、カーゼなど）で構成することができる。
【００６６】
このように本実施形態の車両用空気質成分供給装置３０は、作動部２５に空気質成分が浸透可能な浸透部材３１を備えている。この構成によれば、浸透部材３１に浸透された空気質成分を自然揮発させて空気質チャンバ２１内に空気質成分を充満させることができる。また、浸透部材３１は、揮発手段として機能するので、作動部２５を高周波振動させる制御の代用になり、この場合の作動部２５は圧縮手段として機能する。また、揮発手段と空気圧縮手段が一体化されることにより、装置全体の小型化が図れる。
【００６７】
また、作動部２５の空気質チャンバ２１寄りの側面に、空気質成分を揮発させる揮発手段である浸透部材３１を設けた場合には、より早く空気質チャンバ２１内に空気質成分を拡散させることができる。
【００６８】
（第３実施形態）
第３実施形態の車両用空気質供給装置４０の内部構成について図６を用いて説明する。なお、車両用空気質成分供給装置４０の車内２における配置箇所は、第１実施形態において図１を用いた説明と同様である。また、車両用空気質成分供給装置４０の制御構成についても、第１実施形態において図２を用いた説明と同様である。
【００６９】
図６に示すように、車両用空気質成分供給装置４０は、第１実施形態の車両用空気質供給装置２０に対して、空気質成分を揮発させるための発熱部４１を備えた点のみが異なっている。この発熱部４１は、揮発手段および圧縮手段として機能するアクチュエータに備えられるものであり、作動部２５の表面に設けることが好ましい。
【００７０】
発熱部４１は、揮発手段としての働きを有し、発熱によって空気質チャンバ２１内の雰囲気の温度を高くして、ノズル２４から放出された空気質成分を揮発させるものである。発熱部４１は、例えば、ニクロム線や、ＰＴＣヒータなどの設置スペースを比較的要しない薄型のヒータ類で構成することができる。
【００７１】
発熱部４１は、空気質成分供給ＥＣＵ１００によって、発熱のタイミング、時間、発熱量などが制御される構成である。発熱部４１によって空気質チャンバ２１内の気体を温めることは、空気に含まれる水分が気化しやすくなり、雰囲気の湿度が高くなるので、湿度成分を主とした空気砲の放出に対して有利に働く。
【００７２】
このように本実施形態の車両用空気質成分供給装置４０は、作動部２５に空気質成分を揮発させるための発熱部４１を設けることが好ましい。この構成によれば、揮発手段として発熱を用いることにより、空気質チャンバ２１内の気体の温度を調整でき、空気質成分の拡散を促進することができる。また、空気質成分を湿度成分とする空気砲の放出に対して有用である。また、発熱部４１は、揮発手段として機能するので、作動部２５を高周波振動させる制御の代用になり、この場合の作動部２５は圧縮手段として機能する。また、揮発手段と空気圧縮手段が一体化されることにより、装置全体の小型化が図れる。
【００７３】
（第４実施形態）
第４実施形態の車両用空気質供給装置５０の内部構成について図７を用いて説明する。なお、車両用空気質成分供給装置５０の車内２における配置箇所は、第１実施形態において図１を用いた説明と同様である。また、車両用空気質成分供給装置５０の制御構成についても、第１実施形態において図２を用いた説明と同様である。
【００７４】
図７に示すように、車両用空気質成分供給装置５０は、第１実施形態の車両用空気質供給装置２０に対して、空気質成分を揮発させる揮発部材５１を備えた点のみが異なっている。この揮発部材５１は、揮発手段および圧縮手段として機能するアクチュエータに備えられ、作動部２５の空気質チャンバ２１寄りの側面に設ける。
【００７５】
揮発部材５１は、揮発手段としての働きを有し、第３実施形態の発熱部４１のように自信が発熱して空気質チャンバ２１内の雰囲気の温度を高くし、ノズル２４から放出された空気質成分を揮発させる構成でもよいし、作動部２５と一体となって高周波振動されることによって、ノズル２４から放出された空気質成分を揮発させる構成でもよい。
【００７６】
このように本実施形態の車両用空気質成分供給装置５０は、作動部２５の空気質チャンバ２１寄りの側面に、空気質成分を揮発させる揮発部材５１を備えた場合には、空気質チャンバ２１内に空気質成分をより早く拡散させることができる。
【００７７】
（第５実施形態）
第５実施形態は、車両用空気質供給装置２０、５０の揮発動作ステップおよび空気砲発生動作ステップにおける制御の変形例を示すものである。図８は車両用空気質成分供給装置２０、５０の揮発動作ステップおよび空気砲発生動作ステップの制御におけるアクチュエータの変位を示すグラフである。
【００７８】
本実施形態の一連の揮発動作ステップおよび空気砲発生ステップにおける作動部２５にかかる制御は、基本的には第１実施形態の図４を用いた説明と同様であるが、一部のみ異なっている。本実施形態では、その異なっている部分のみ説明する。
【００７９】
空気質成分供給ＥＣＵ１００が揮発動作ステップを開始すると、前述の第１実施形態のように作動部２５および揮発部材５１は前後方向に音波振動または超音波振動などの高周波振動を行い、揮発手段としての働きを実行する。そして、空気質成分供給ＥＣＵ１００は揮発動作ステップが終了すると、待機時間Ａを経た後に空気砲発生動作ステップを開始する。後に続く空気砲発生動作ステップの制御は前述の第１実施形態と同様である。この待機時間Ａは、揮発された空気質成分が空気質チャンバ２１内に十分に行き渡るための時間であり、後に放出される空気砲の中に所定量の空気質成分を含有させるためにもうけられた待機時間である。
【００８０】
このように空気質成分供給ＥＣＵ１００は、作動部２５などを音波振動または超音波振動させて空気質成分を揮発させた後、待機時間が経過後、空気砲を放出するための作動部２５の制御を開始する。この制御を採用した場合には、空気質チャンバ２１内に十分に空気質成分が行き渡るような待機時間を設定することができ、空気質チャンバ２１内の成分濃度を均一化して品質の安定した空気砲を提供することができる。
【００８１】
（第６実施形態）
第６実施形態は、前述の第５実施形態に対する、車両用空気質供給装置２０、５０の揮発動作ステップおよび空気砲発生動作ステップにおける制御の変形例を示すものである。図９は車両用空気質成分供給装置２０、５０の揮発動作ステップおよび空気砲発生動作ステップの制御におけるアクチュエータの変位を示すグラフである。
【００８２】
本実施形態の一連の揮発動作ステップおよび空気砲発生ステップにおける作動部２５にかかる制御は、基本的には第１実施形態の図４および第５実施形態の図８を用いた説明と同様であるが、一部のみ異なっている。本実施形態では、その異なっている部分のみ説明する。
【００８３】
空気質成分供給ＥＣＵ１００は、空気砲発生動作ステップにおけるアクチュエータへの電圧印加において、矩形波状電圧の初期の立ち上がりを滑らかな丸みを帯びた波形によって印加し、終期の波形を徐々に印加電圧を小さくするように印加する。このような波形の電圧を印加することにより、作動部２５の変位についても図９に示すような変動となり、空気砲発生動作ステップにおける作動部２５の変動が滑らかになり、空気圧縮時の騒音を低減することができる。
【００８４】
（その他の実施形態）
以上、本発明の好ましい実施形態について説明したが、本発明は上述した実施形態に何ら制限されることなく、本発明の主旨を逸脱しない範囲において以下のように種々変形して実施することが可能である。
【００８５】
例えば、上述の実施形態における空気質成分供給ＥＣＵ１００は、車両用空気質成分供給装置の制御を行う専用の制御手段であってもよいが、エアコンＥＣＵの一部として組み込まれる構成で、その中で車両用空気質成分供給装置の制御を担当する制御手段として機能するものであってもよい。
【図面の簡単な説明】
【００８６】
【図１】第１、第２、第３、および第４実施形態における車両用空気質成分供給装置を車内に配置する箇所を示した概念図である。
【図２】第１、第２、第３、および第４実施形態における車両用空気質成分供給装置の制御構成を示したブロック図である。
【図３】（ａ）は、第１実施形態の車両用空気質成分供給装置２０の内部構成を示した概念図である。（ｂ）は車両用空気質成分供給装置２０において、空気質成分を揮発させるときの内部状態を示した概念図である。（ｃ）は、空気砲を放出する動作を行っているときの内部状態を示した概念図である。
【図４】車両用空気質成分供給装置２０の揮発動作および空気砲発生動作の制御におけるアクチュエータの変位を示すグラフである。
【図５】第２実施形態の車両用空気質成分供給装置３０の内部構成を示した概念図である。
【図６】第３実施形態の車両用空気質成分供給装置４０の内部構成を示した概念図である。
【図７】第４実施形態の車両用空気質成分供給装置５０の内部構成を示した概念図である。
【図８】第５実施形態における車両用空気質成分供給装置２０、５０の揮発動作および空気砲発生動作の制御におけるアクチュエータの変位を示すグラフである。
【図９】第６実施形態における車両用空気質成分供給装置２０、５０の揮発動作および空気砲発生動作の制御におけるアクチュエータの変位を示すグラフである。
【符号の説明】
【００８７】
２                車内
２１              空気質チャンバ
２２              放出口
２５              作動部（アクチュエータ）
３１              浸透部材（アクチュエータ）
４１              発熱部（アクチュエータ）
５１              発熱体（アクチュエータ、作動部）
１００            空気質成分供給ＥＣＵ（制御手段）
【図１】
0004569498.tif 000002
【図２】
0004569498.tif 000003
【図３】
0004569498.tif 000004
【図４】
0004569498.tif 000005
【図５】
0004569498.tif 000006
【図６】
0004569498.tif 000007
【図７】
0004569498.tif 000008
【図８】
0004569498.tif 000009
【図９】
0004569498.tif 000010